(57)【要約】【課題】無線リソースの浪費を回避しつつ、コネクション設定時間を短縮する。【解決手段】本発明に係る移動通信方法は、移動局ＵＥが、ＵＭＴＳ方式のセルにおいて待ち受けを行っている際に、所定トリガを検出した場合、ＵＭＴＳ方式のネットワーク装置ＲＮＣに対して、移動局ＵＥの無線アクセス能力を含むコネクション設定要求信号を送信する工程と、ＵＭＴＳ方式のネットワーク装置ＲＮＣが、受信したコネクション設定要求信号に移動局ＵＥの無線アクセス能力が含まれている場合、移動局ＵＥに対して、ＬＴＥ方式のセルにおいてコネクションを設定するように指示する指示信号を送信する工程と、移動局ＵＥが、受信した指示信号に応じて、ＬＴＥ方式のセルにおいてコネクションを設定する工程とを有する。【選択図】図７
2010136009.tif 000002
【特許請求の範囲】
【請求項１】
移動局が、第１通信方式のセルにおいて待ち受けを行っている際に、所定トリガを検出した場合、該第１通信方式のネットワーク装置に対して、該移動局の無線アクセス能力を含むコネクション設定要求信号を送信する工程Ａと、
前記第１通信方式のネットワーク装置が、受信した前記コネクション設定要求信号に前記移動局の無線アクセス能力が含まれている場合、該移動局に対して、第２通信方式のセルにおいてコネクションを設定するように指示する指示信号を送信する工程Ｂと、
前記移動局が、受信した前記指示信号に応じて、前記第２通信方式のセルにおいてコネクションを設定する工程Ｃとを有することを特徴とする移動通信方法。
【請求項２】
前記工程Ａにおいて、前記移動局は、前記第２通信方式のセルにおいて許容されている通信サービス及び通信処理の少なくとも１つに応じて、前記移動局のアクセス能力を含む前記コネクション設定要求信号を送信するか否かについて判定することを特徴とする請求項１に記載の移動通信方法。
【請求項３】
前記工程Ａにおいて、前記移動局は、待ち受けを行っている前記第１通信方式のセルに地理的に対応する前記第２通信方式のセルが存在する場合に、前記移動局のアクセス能力を含む前記コネクション設定要求信号を送信することを特徴とする請求項１又は２に記載の移動通信方法。
【請求項４】
前記工程Ａにおいて、前記移動局は、待ち受けを行っている前記第１通信方式のセルに地理的に対応する前記第２通信方式のセルにおける無線品質が所定条件を満たす場合に、前記移動局のアクセス能力を含む前記コネクション設定要求信号を送信することを特徴とする請求項１乃至３のいずれか一項に記載の移動通信方法。
【請求項５】
前記工程Ｂにおいて、前記第１通信方式のネットワーク装置は、前記第２通信方式のセルにおいて許容されている通信サービス及び通信処理の少なくとも１つに応じて、前記指示信号を送信するか否かについて判定することを特徴とする請求項１に記載の移動通信方法。
【請求項６】
前記工程Ｂにおいて、前記第１通信方式のネットワーク装置は、前記移動局が待ち受けを行っている前記第１通信方式のセルに地理的に対応する前記第２通信方式のセルが存在する場合に、前記指示信号を送信することを特徴とする請求項１又は５に記載の移動通信方法。
【請求項７】
前記工程Ｂにおいて、前記第１通信方式のネットワーク装置は、前記移動局が待ち受けを行っている前記第１通信方式のセルに地理的に対応する前記第２通信方式のセルにおける無線品質が所定条件を満たす場合に、前記指示信号を送信することを特徴とする請求項１、５又は６に記載の移動通信方法。
【請求項８】
前記第１通信方式のセル内で、前記移動局に対して、前記第２通信方式のセルにおいて許容されている通信サービス及び通信処理について通知する工程を有することを特徴とする請求項２に記載の移動通信方法。
【請求項９】
前記第１通信方式のセル内で、前記移動局に対して、前記第１通信方式のセルと前記第２通信方式のセルとの地理的な対応関係について通知する工程を有することを特徴とする請求項３に記載の移動通信方法。
【請求項１０】
前記第１通信方式のセル内で、前記移動局に対して、前記第２通信方式のセルにおける無線品質について通知する工程を有することを特徴とする請求項４に記載の移動通信方法。
【請求項１１】
第１通信方式のセル及び第２通信方式のセルにおいて通信可能な移動局であって、
前記第１通信方式のセルにおいて待ち受けを行っている際に、所定トリガを検出した場合、該第１通信方式のネットワーク装置に対して、前記移動局の無線アクセス能力を含むコネクション設定要求信号を送信するように構成されており、
前記第１通信方式のネットワーク装置から送信された指示信号に応じて、前記第２通信方式のセルにおいてコネクションを設定するように構成されており、
前記指示信号は、前記第１通信方式のネットワーク装置が、受信した前記コネクション設定要求信号に前記移動局の無線アクセス能力が含まれている場合、該移動局に対して送信する信号であり、前記第２通信方式のセルにおいてコネクションを設定するように指示する信号であることを特徴とする移動局。
【請求項１２】
前記第２通信方式のセルにおいて許容されている通信サービス及び通信処理の少なくとも１つに応じて、前記移動局のアクセス能力を含む前記コネクション設定要求信号を送信するか否かについて判定するように構成されていることを特徴とする請求項１１に記載の移動局。
【請求項１３】
待ち受けを行っている前記第１通信方式のセルに地理的に対応する前記第２通信方式のセルが存在する場合に、前記移動局のアクセス能力を含む前記コネクション設定要求信号を送信するように構成されていることを特徴とする請求項１１又は１２に記載の移動局。
【請求項１４】
待ち受けを行っている前記第１通信方式のセルに地理的に対応する前記第２通信方式のセルにおける無線品質が所定条件を満たす場合に、前記移動局のアクセス能力を含む前記コネクション設定要求信号を送信するように構成されていることを特徴とする請求項１１乃至１３のいずれか一項に記載の移動局。
【請求項１５】
第１通信方式のネットワーク装置であって、
前記第１通信方式のセルにおいて待ち受けを行っている移動局から受信したコネクション設定要求信号に該移動局の無線アクセス能力が含まれている場合、該移動局に対して、第２通信方式のセルにおいてコネクションを設定するように指示する指示信号を送信するように構成されていることを特徴とするネットワーク装置。
【請求項１６】
前記第２通信方式のセルにおいて許容されている通信サービス及び通信処理の少なくとも１つに応じて、前記指示信号を送信するか否かについて判定するように構成されていることを特徴とする請求項１５に記載のネットワーク装置。
【請求項１７】
前記移動局が待ち受けを行っている前記第１通信方式のセルに地理的に対応する前記第２通信方式のセルが存在しない場合には、受信した前記コネクション設定要求信号に該移動局の無線アクセス能力が含まれている場合であっても、前記指示信号を送信しないように構成されていることを特徴とする請求項１５又は１６に記載のネットワーク装置。
【請求項１８】
前記移動局が待ち受けを行っている前記第１通信方式のセルに地理的に対応する前記第２通信方式のセルにおける無線品質が所定条件を満たしていない場合には、受信した前記コネクション設定要求信号に該移動局の無線アクセス能力が含まれている場合であっても、前記指示信号を送信するように構成されていることを特徴とする請求項１５乃至１７のいずれか一項に記載のネットワーク装置。
【発明の詳細な説明】
【技術分野】
【０００１】
本発明は、移動通信方法、移動局及びネットワーク装置に関する。
【背景技術】
【０００２】
ＷＣＤＭＡ方式の移動通信システムでは、移動局ＵＥが、特定のセルにおけるコネクションの設定を試みる場合、無線アクセスネットワークにおけるネットワーク装置（例えば、無線回線制御局ＲＮＣ等）に対して、「ＲＲＣ  Ｃｏｎｎｅｃｔｉｏｎ  Ｒｅｑｕｅｓｔ（コネクション設定要求信号）」を送信し、かかるネットワーク装置が、かかるコネクション用の無線リソースを確保して移動局ＵＥに通知することによって、かかるコネクションを設定するという「ＲＲＣ  Ｃｏｎｎｅｃｔｉｏｎ  Ｓｅｔｕｐ手順」が確立されている。
【非特許文献１】３ＧＰＰ  ＴＳ２５.３３１
【発明の開示】
【発明が解決しようとする課題】
【０００３】
従来のＷＣＤＭＡ方式の移動通信システムでは、移動局ＵＥは、ＬＴＥ（Ｌｏｎｇ  Ｔｅｒｍ  Ｅｖｏｌｕｔｉｏｎ）方式やＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）方式やＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）方式といった複数の通信方式（無線アクセス技術、ＲＡＴ：Ｒａｄｉｏ  Ａｃｃｅｓｓ  Ｔｅｃｈｎｏｌｏｇｙ）に対応する能力を具備している場合、予め選択した第１通信方式のセルにおいてコネクションを設定するように構成されている。
【０００４】
その後、移動局ＵＥは、ユーザ又はネットワーク装置からの指示によって、第２通信方式のセルに遷移すべきであると判断した場合には、Ｉｎｔｅｒ-ＲＡＴハンドオーバ手順を行うことによって、第２通信方式のセルにおけるコネクションを設定するように構成されている。
【０００５】
かかる場合、一旦、第１通信方式のセルにおいてコネクション用の無線リソースが確保された後、第２通信方式のセルにおけるコネクションの設定が試みられるため、第１通信方式のセルにおける無線リソースが浪費され、第２通信方式のセルにおけるコネクションが設定されるまでに時間が長くなるという問題点があった。
【０００６】
そこで、本発明は、上述の課題に鑑みてなされたものであり、無線リソースの浪費を回避しつつ、コネクション設定時間を短縮することができる移動通信方法、移動局及びネットワーク装置を提供することを目的とする。
【課題を解決するための手段】
【０００７】
本発明の第１の特徴は、移動通信方法であって、移動局が、第１通信方式のセルにおいて待ち受けを行っている際に、所定トリガを検出した場合、該第１通信方式のネットワーク装置に対して、該移動局の無線アクセス能力を含むコネクション設定要求信号を送信する工程Ａと、前記第１通信方式のネットワーク装置が、受信した前記コネクション設定要求信号に前記移動局の無線アクセス能力が含まれている場合、該移動局に対して、第２通信方式のセルにおいてコネクションを設定するように指示する指示信号を送信する工程Ｂと、前記移動局が、受信した前記指示信号に応じて、前記第２通信方式のセルにおいてコネクションを設定する工程Ｃとを有することを要旨とする。
【０００８】
本発明の第２の特徴は、第１通信方式のセル及び第２通信方式のセルにおいて通信可能な移動局であって、前記第１通信方式のセルにおいて待ち受けを行っている際に、所定トリガを検出した場合、該第１通信方式のネットワーク装置に対して、前記移動局の無線アクセス能力を含むコネクション設定要求信号を送信するように構成されており、前記第１通信方式のネットワーク装置から送信された指示信号に応じて、前記第２通信方式のセルにおいてコネクションを設定するように構成されており、前記指示信号は、前記第１通信方式のネットワーク装置が、受信した前記コネクション設定要求信号に前記移動局の無線アクセス能力が含まれている場合、該移動局に対して送信する信号であり、前記第２通信方式のセルにおいてコネクションを設定するように指示する信号であることを要旨とする。
【０００９】
本発明の第３の特徴は、第１通信方式のネットワーク装置であって、前記第１通信方式のセルにおいて待ち受けを行っている移動局から受信したコネクション設定要求信号に該移動局の無線アクセス能力が含まれている場合、該移動局に対して、第２通信方式のセルにおいてコネクションを設定するように指示する指示信号を送信するように構成されていることを要旨とする。
【発明の効果】
【００１０】
以上説明したように、本発明によれば、無線リソースの浪費を回避しつつ、コネクション設定時間を短縮することができる移動通信方法、移動局及びネットワーク装置を提供することができる。
【発明を実施するための最良の形態】
【００１１】
（本発明の第１の実施形態に係る移動通信システムの構成）
図１乃至図６を参照して、本発明の第１の実施形態に係る移動通信システムの構成について説明する。
【００１２】
図１に示すように、本実施形態に係る移動通信システムは、ＵＭＴＳ方式（第１通信方式）のセルによって形成されているカバーエリアと、ＬＴＥ方式（第２通信方式）のセルによって形成されているカバーエリアとを有する。
【００１３】
本実施形態に係る移動通信システムでは、カバーエリアの広さや提供可能な通信サービスの観点から、移動局ＵＥは、ＵＭＴＳ方式のセルにおいて優先的に待ち受けを行うように構成されている。
【００１４】
移動局ＵＥは、図２に示すように、待ち受け処理部１１と、判断情報記憶部１２と、ＲＲＣコネクション設定部１３とを具備している。
【００１５】
待ち受け処理部１１は、所定条件を満たすセルを選択し、選択したセルにおいて待ち受けを行うように構成されている。ここで、所定条件は、位置登録処理の際にネットワーク装置（例えば、交換局）によって通知されるように構成されていてもよい。
【００１６】
判断情報記憶部１２は、判断情報を記憶するように構成されている。ここで、判断情報は、ＲＲＣコネクション設定部１３が、「Ｉｎｔｅｒ-ＲＡＴ  ｃａｐａｂｉｌｉｔｉｅｓ（移動局ＵＥの無線アクセス能力）」を含む「ＲＲＣ  Ｃｏｎｎｅｃｔｉｏｎ  Ｒｅｑｕｅｓｔ（コネクション設定要求信号）」を送信するか否かについて判断する際に用いられる情報である。
【００１７】
例えば、図３に示すように、判断情報記憶部１２は、判断情報として、ＬＴＥ方式のセルにおいて許容されている通信サービスや通信処理等を記憶するように構成されていてもよい。
【００１８】
ここで、通信サービスとしては、ＰＳサービス（パケット交換サービス）やＣＳサービス（回線交換サービス）等が想定され、通信処理としては、発信処理や着信処理等が想定される。
【００１９】
なお、図３の例では、ＬＴＥ方式のセルにおいて許容されている通信サービスとしてＰＳサービスが記憶されており、ＬＴＥ方式のセルにおいて許容されている通信処理として発信処理及び着信処理が記憶されている。
【００２０】
また、図４に示すように、判断情報記憶部１２は、判断情報として、ＵＭＴＳ方式のセルとＬＴＥ方式のセルとの間の地理的な対応関係を記憶するように構成されていてもよい。
【００２１】
ここで、判断情報記憶部１２は、判断情報として、待ち受け処理部１１が待ち受けを行っているＵＭＴＳ方式のセルに地理的に対応するＬＴＥ方式のセルのみを記憶するように構成されていてもよい。
【００２２】
なお、図４の例では、ＵＭＴＳ方式のセル＃１とＬＴＥ方式のセル＃１０１とが地理的に対応しており（すなわち、地理的に重複しており）、ＵＭＴＳ方式のセル＃２とＬＴＥ方式のセル＃２０１とが地理的に対応している（すなわち、地理的に重複している）。
【００２３】
さらに、図５に示すように、判断情報記憶部１２は、判断情報として、ＬＴＥ方式のセルにおける無線品質を記憶するように構成されていてもよい。無線品質としては、パイロット信号の受信電力やＳＩＲ（Ｓｉｇｎａｌ  ｔｏ  Ｉｎｔｅｒｆｅｒｅｎｃｅ  Ｒａｔｉｏ）等が想定される。
【００２４】
ここで、判断情報記憶部１２は、判断情報として、待ち受け処理部１１が待ち受けを行っているＵＭＴＳ方式のセルに地理的に対応するＬＴＥ方式のセルにおける無線品質のみを記憶するように構成されていてもよい。
【００２５】
なお、かかる判断情報は、ＵＭＴＳ方式のセル内で、報知信号等の所定信号によって通知されていてもよい。このように構成することで、かかる判断情報を可変にすることができる。
【００２６】
ＲＲＣコネクション設定部１３は、ＵＭＴＳ方式のネットワーク装置である無線回線制御局ＲＮＣやＬＴＥ方式のネットワーク装置である無線基地局ｅＮＢとの間で、ＲＲＣコネクションを設定するように構成されている。
【００２７】
具体的には、待ち受け処理部１１が、ＵＭＴＳ方式のセルにおいて待ち受けを行っている場合に、ＲＲＣコネクション設定部１３は、無線回線制御局ＲＮＣに対して、「ＲＲＣ  Ｃｏｎｎｅｃｔｉｏｎ  Ｒｅｑｕｅｓｔ」を送信するによって、ＲＲＣコネクションの設定先を、ＵＭＴＳ方式のセルからＬＴＥ方式のセルに切り替えるように構成されている。
【００２８】
ここで、待ち受け処理部１１が、ＵＭＴＳ方式のセルにおいて待ち受けを行っている際に、ＲＲＣコネクション設定部１３は、所定トリガを検出した場合、無線回線制御局ＲＮＣに対して、「Ｉｎｔｅｒ-ＲＡＴ  ｃａｐａｂｉｌｉｔｉｅｓ」を含む「ＲＲＣ  Ｃｏｎｎｅｃｔｉｏｎ  Ｒｅｑｕｅｓｔ」を送信するように構成されている。
【００２９】
ここで、所定トリガとしては、ＰＳサービスやＣＳサービスの発信処理や着信処理の開始トリガ等が想定される。
【００３０】
かかる場合、例えば、ＲＲＣコネクション設定部１３は、判断情報記憶部１２に記憶されている判断情報を参照して、ＬＴＥ方式のセルにおいて許容されている通信サービス及び通信処理の少なくとも１つに応じて、「Ｉｎｔｅｒ-ＲＡＴ  ｃａｐａｂｉｌｉｔｉｅｓ」を含む「ＲＲＣ  Ｃｏｎｎｅｃｔｉｏｎ  Ｒｅｑｕｅｓｔ」を送信するか否かについて判定するように構成されていてもよい。
【００３１】
具体的には、待ち受け処理部１１が、ＵＭＴＳ方式のセルにおいて待ち受けを行っている際に、ＲＲＣコネクション設定部１３は、所定トリガとして、ＬＴＥ方式のセルにおいて許容されている通信サービス及び通信処理の開始トリガを検出した場合に、「Ｉｎｔｅｒ-ＲＡＴ  ｃａｐａｂｉｌｉｔｉｅｓ」を含む「ＲＲＣ  Ｃｏｎｎｅｃｔｉｏｎ  Ｒｅｑｕｅｓｔ」を送信するように構成されている。
【００３２】
例えば、待ち受け処理部１１が、ＵＭＴＳ方式のセルにおいて待ち受けを行っている際に、ＲＲＣコネクション設定部１３は、所定トリガとして、ＰＳサービスの発信処理の開始トリガを検出した場合に、「Ｉｎｔｅｒ-ＲＡＴ  ｃａｐａｂｉｌｉｔｉｅｓ」を含む「ＲＲＣ  Ｃｏｎｎｅｃｔｉｏｎ  Ｒｅｑｕｅｓｔ」を送信し、ＣＳサービスの発信処理の開始トリガを検出した場合には、「Ｉｎｔｅｒ-ＲＡＴ  ｃａｐａｂｉｌｉｔｉｅｓ」を含まない「ＲＲＣ  Ｃｏｎｎｅｃｔｉｏｎ  Ｒｅｑｕｅｓｔ」を送信するように構成されていてもよい。
【００３３】
また、待ち受け処理部１１が、ＵＭＴＳ方式のセルにおいて待ち受けを行っている際に、ＲＲＣコネクション設定部１３は、所定トリガを検出した場合には、判断情報記憶部１２に記憶されている判断情報を参照して、待ち受け処理部１１が待ち受けを行っているＵＭＴＳ方式のセルに地理的に対応するＬＴＥ方式のセルが存在すると判断した場合に、「Ｉｎｔｅｒ-ＲＡＴ  ｃａｐａｂｉｌｉｔｉｅｓ」を含む「ＲＲＣ  Ｃｏｎｎｅｃｔｉｏｎ  Ｒｅｑｕｅｓｔ」を送信するように構成されていてもよい。
【００３４】
一方、待ち受け処理部１１が、ＵＭＴＳ方式のセルにおいて待ち受けを行っている際に、ＲＲＣコネクション設定部１３は、所定トリガを検出した場合には、判断情報記憶部１２に記憶されている判断情報を参照して、待ち受け処理部１１が待ち受けを行っているＵＭＴＳ方式のセルに地理的に対応するＬＴＥ方式のセルが存在しないと判断した場合に、「Ｉｎｔｅｒ-ＲＡＴ  ｃａｐａｂｉｌｉｔｉｅｓ」を含まない「ＲＲＣ  Ｃｏｎｎｅｃｔｉｏｎ  Ｒｅｑｕｅｓｔ」を送信するように構成されていてもよい。
【００３５】
また、待ち受け処理部１１が、ＵＭＴＳ方式のセルにおいて待ち受けを行っている際に、ＲＲＣコネクション設定部１３は、所定トリガを検出した場合には、判断情報記憶部１２に記憶されている判断情報を参照して、待ち受け処理部１１が待ち受けを行っているＵＭＴＳ方式のセルに地理的に対応するＬＴＥ方式のセルにおける無線品質が所定条件を満たすと判断した場合に、「Ｉｎｔｅｒ-ＲＡＴ  ｃａｐａｂｉｌｉｔｉｅｓ」を含む「ＲＲＣ  Ｃｏｎｎｅｃｔｉｏｎ  Ｒｅｑｕｅｓｔ」を送信するように構成されていてもよい。
【００３６】
一方、待ち受け処理部１１が、ＵＭＴＳ方式のセルにおいて待ち受けを行っている際に、ＲＲＣコネクション設定部１３は、所定トリガを検出した場合には、判断情報記憶部１２に記憶されている判断情報を参照して、待ち受け処理部１１が待ち受けを行っているＵＭＴＳ方式のセルに地理的に対応するＬＴＥ方式のセルにおける無線品質が所定条件を満たしていないと判断した場合に、「Ｉｎｔｅｒ-ＲＡＴ  ｃａｐａｂｉｌｉｔｉｅｓ」を含まない「ＲＲＣ  Ｃｏｎｎｅｃｔｉｏｎ  Ｒｅｑｕｅｓｔ」を送信するように構成されていてもよい。
【００３７】
図６に示すように、無線回線制御局ＲＮＣは、ＲＲＣコネクション設定部２１と、判断情報記憶部２２と、判定部２３とを具備している。
【００３８】
ＲＲＣコネクション設定部２１は、移動局ＵＥから送信された「ＲＲＣ  Ｃｏｎｎｅｃｔｉｏｎ  Ｒｅｑｕｅｓｔ」に応じて、移動局ＵＥとの間で、ＲＲＣコネクションを設定するように構成されている。
【００３９】
判断情報記憶部２２は、上述の判断情報記憶部１２と同様に、判断情報を具備するように構成されている。なお、判断情報記憶部２２は、移動局ＵＥごとに、判断情報を記憶するように構成されていてもよい。
【００４０】
判定部２３は、ＵＭＴＳ方式のセルにおいて待ち受けを行っている移動局ＵＥから受信した「ＲＲＣ  Ｃｏｎｎｅｃｔｉｏｎ  Ｒｅｑｕｅｓｔ」に「Ｉｎｔｅｒ-ＲＡＴ  ｃａｐａｂｉｌｉｔｉｅｓ」が含まれているか否かについて判定するように構成されている。
【００４１】
そして、判定部２３は、受信した「ＲＲＣ  Ｃｏｎｎｅｃｔｉｏｎ  Ｒｅｑｕｅｓｔ」に「Ｉｎｔｅｒ-ＲＡＴ  ｃａｐａｂｉｌｉｔｉｅｓ」が含まれていると判定した場合に、ＲＲＣコネクション設定部２１に対して、「ＲＲＣ  Ｃｏｎｎｅｃｔｉｏｎ  Ｒｅｊｅｃｔ」を送信するように指示する。
【００４２】
ここで、ＲＲＣコネクション設定部２１は、移動局ＵＥから送信された「ＲＲＣ  Ｃｏｎｎｅｃｔｉｏｎ  Ｒｅｑｕｅｓｔ」を受信した場合であっても、判定部２３から上述の指示があった場合には、すなわち、受信した「ＲＲＣ  Ｃｏｎｎｅｃｔｉｏｎ  Ｒｅｑｕｅｓｔ」に「Ｉｎｔｅｒ-ＲＡＴ  ｃａｐａｂｉｌｉｔｉｅｓ」が含まれていると判定された場合には、移動局ＵＥに対して、「ＲＲＣ  Ｃｏｎｎｅｃｔｉｏｎ  Ｒｅｊｅｃｔ」を送信することによって、ＬＴＥ方式のセルにおいてＲＲＣコネクションを設定するように、すなわち、「Ｒｅｄｉｒｅｃｔｉｏｎ」を行うように指示する。
【００４３】
また、ＲＲＣコネクション設定部２１は、移動局ＵＥから送信された「ＲＲＣ  Ｃｏｎｎｅｃｔｉｏｎ  Ｒｅｑｕｅｓｔ」を受信した場合に、判断情報記憶部２２に記憶されている判断情報を参照して、ＬＴＥ方式のセルにおいて許容されている通信サービス及び通信処理の少なくとも１つに応じて、上述の「ＲＲＣ  Ｃｏｎｎｅｃｔｉｏｎ  Ｒｅｊｅｃｔ」を送信するか否かについて判定するように構成されていてもよい。
【００４４】
具体的には、ＲＲＣコネクション設定部２１は、受信した「ＲＲＣ  Ｃｏｎｎｅｃｔｉｏｎ  Ｒｅｑｕｅｓｔ」が、ＬＴＥ方式のセルにおいて許容されていない通信サービス及び通信処理に係るＲＲＣコネクションに係るものである場合には、かかる「ＲＲＣ  Ｃｏｎｎｅｃｔｉｏｎ  Ｒｅｑｕｅｓｔ」に「Ｉｎｔｅｒ-ＲＡＴ  ｃａｐａｂｉｌｉｔｉｅｓ」が含まれていると判定された場合であっても、移動局ＵＥに対して、「ＲＲＣ  Ｃｏｎｎｅｃｔｉｏｎ  Ｒｅｊｅｃｔ」を送信することなく、移動局ＵＥとの間で、ＲＲＣコネクションを設定するように構成されていてもよい。
【００４５】
また、ＲＲＣコネクション設定部２１は、移動局ＵＥが待ち受けを行っているＵＭＴＳ方式のセルに地理的に対応するＬＴＥ方式のセルが存在しない場合には、かかる「ＲＲＣ  Ｃｏｎｎｅｃｔｉｏｎ  Ｒｅｑｕｅｓｔ」に「Ｉｎｔｅｒ-ＲＡＴ  ｃａｐａｂｉｌｉｔｉｅｓ」が含まれていると判定された場合であっても、上述の「ＲＲＣ  Ｃｏｎｎｅｃｔｉｏｎ  Ｒｅｊｅｃｔ」を送信しないように構成されていてもよい。
【００４６】
また、ＲＲＣコネクション設定部２１は、移動局ＵＥが待ち受けを行っているＵＭＴＳ方式のセルに地理的に対応するＬＴＥ方式のセルにおける無線品質が所定条件を満たしていない場合に、上述の「ＲＲＣ  Ｃｏｎｎｅｃｔｉｏｎ  Ｒｅｊｅｃｔ」を送信しないように構成されていてもよい。
【００４７】
なお、移動局ＵＥのみが、判断情報記憶部１２を具備していてもよいし、移動局ＵＥ及び無線回線制御局ＲＮＣの双方が、判断情報記憶部１２、２２を具備していてもよい。
【００４８】
（本発明の第１の実施形態に係る移動通信システムの動作）
図７及び図８を参照して、本発明の第１の実施形態に係る移動通信システムの動作について説明する。
【００４９】
図７に示すように、移動局ＵＥは、ステップＳ１０００において、ＵＭＴＳ方式のセルにおいて待ち受けを行っている場合に、ステップＳ１００１１において、無線回線制御局ＲＮＣから、移動局ＵＥ宛てのＰＳサービス用ページング信号を受信した場合には、ステップＳ１００２において、無線回線制御局ＲＮＣに対して、「Ｉｎｔｅｒ-ＲＡＴ  ｃａｐａｂｉｌｉｔｉｅｓ」を含む「ＲＲＣ  Ｃｏｎｎｅｃｔｉｏｎ  Ｒｅｑｕｅｓｔ」又は「Ｉｎｔｅｒ-ＲＡＴ  ｃａｐａｂｉｌｉｔｉｅｓ」を含まない「ＲＲＣ  Ｃｏｎｎｅｃｔｉｏｎ  Ｒｅｑｕｅｓｔ」のどちらを送信するべきかについて判定する。
【００５０】
以下、図８を参照して、かかる判定方法について説明する。
【００５１】
図８に示すように、ステップＳ１０１において、移動局ＵＥは、かかるＲＲＣコネクションの設定手順の開始トリガ（図７の例では、移動局ＵＥ宛てのＰＳサービス用ページング信号の受信）が、ＬＴＥ方式のセルにおいて許容されている通信サービス及び通信処理に対応するか否かについて判定する。
【００５２】
ここで、「ＹＥＳ」であると判定された場合、本動作は、ステップＳ１０２に進み、「ＮＯ」であると判定された場合、本動作は、ステップＳ１０５に進む。
【００５３】
ステップＳ１０２において、移動局ＵＥは、待ち受けを行っているＵＭＴＳ方式のセルが、ＬＴＥ方式のカバーエリア内のセルであるか（すなわち、かかるＵＭＴＳ方式のセルに地理的に対応するＬＴＥ方式のセルが存在するか否か）について判定する。
【００５４】
ここで、「ＹＥＳ」であると判定された場合、本動作は、ステップＳ１０３に進み、「ＮＯ」であると判定された場合、本動作は、ステップＳ１０５に進む。
【００５５】
ステップＳ１０３において、移動局ＵＥは、待ち受けを行っているＵＭＴＳ方式のセルに地理的に対応するＬＴＥ方式のセルにおける無線品質が所定条件を満たすか否かについて判定する。
【００５６】
ここで、「ＹＥＳ」であると判定された場合、本動作は、ステップＳ１０４に進み、「ＮＯ」であると判定された場合、本動作は、ステップＳ１０５に進む。
【００５７】
ステップＳ１０４において、移動局ＵＥは、無線回線制御局ＲＮＣに対して「Ｉｎｔｅｒ-ＲＡＴ  ｃａｐａｂｉｌｉｔｉｅｓ」を含む「ＲＲＣ  Ｃｏｎｎｅｃｔｉｏｎ  Ｒｅｑｕｅｓｔ」を送信すべきであると判定する。
【００５８】
一方、ステップＳ１０５において、移動局ＵＥは、無線回線制御局ＲＮＣに対して「Ｉｎｔｅｒ-ＲＡＴ  ｃａｐａｂｉｌｉｔｉｅｓ」を含まない「ＲＲＣ  Ｃｏｎｎｅｃｔｉｏｎ  Ｒｅｑｕｅｓｔ」（すなわち、通常の「ＲＲＣ  Ｃｏｎｎｅｃｔｉｏｎ  Ｒｅｑｕｅｓｔ」）を送信すべきであると判定する。
【００５９】
図７の例では、ステップＳ１００３において、移動局ＵＥは、無線回線制御局ＲＮＣに対して「Ｉｎｔｅｒ-ＲＡＴ  ｃａｐａｂｉｌｉｔｉｅｓ」を含む「ＲＲＣ  Ｃｏｎｎｅｃｔｉｏｎ  Ｒｅｑｕｅｓｔ」を送信する。
【００６０】
ステップＳ１００４において、無線回線制御局ＲＮＣが、受信した「ＲＲＣ  Ｃｏｎｎｅｃｔｉｏｎ  Ｒｅｑｕｅｓｔ」に「Ｉｎｔｅｒ-ＲＡＴ  ｃａｐａｂｉｌｉｔｉｅｓ」が含まれているか否かに基づいて、及び、上述の判断情報に基づいて、ＲＲＣコネクションを設定するべきか、或いは、上述の「ＲＲＣ  Ｃｏｎｎｅｃｔｉｏｎ  Ｒｅｊｅｃｔ」を送信すべきかについて判定する。
【００６１】
図７の例では、ステップＳ１００５において、無線回線制御局ＲＮＣが、移動局ＵＥに対して、「ＲＲＣ  Ｃｏｎｎｅｃｔｉｏｎ  Ｒｅｊｅｃｔ」を送信する。
【００６２】
ステップＳ１００６において、移動局ＵＥは、無線基地局ｅＮＢに対して、「ＲＲＣ  Ｃｏｎｎｅｃｔｉｏｎ  Ｒｅｑｕｅｓｔ」を送信し、ステップＳ１００７において、無線基地局ｅＮＢが、移動局ＵＥに対して、「ＲＲＣ  Ｃｏｎｎｅｃｔｉｏｎ  Ｓｅｔｕｐ」を送信し、ステップＳ１００８において、移動局ＵＥが、無線基地局ｅＮＢに対して、「ＲＲＣ  Ｃｏｎｎｅｃｔｉｏｎ  Ｓｅｔｕｐ  Ｃｏｍｐｌｅｔｅ」を送信する。
【００６３】
この結果、ステップＳ１００９において、移動局ＵＥは、ＬＴＥ方式のセルにおけるコネクションの設定を完了し、Ｃｏｎｎｅｃｔｅｄ状態に遷移する。
【００６４】
（本発明の第１の実施形態に係る移動通信システムの作用・効果）
本発明の第１の実施形態に係る移動通信システムによれば、無線回線制御局ＲＮＣが、ＵＭＴＳセルにおいて待ち受けを行っている移動局ＵＥから「Ｉｎｔｅｒ-ＲＡＴ  ｃａｐａｂｉｌｉｔｉｅｓ」を含む「ＲＲＣ  Ｃｏｎｎｅｃｔｉｏｎ  Ｒｅｑｕｅｓｔ」を受信した場合には、当該移動局ＵＥと無線回線制御局ＲＮＣとの間で、ＲＲＣコネクションが設定されることなく、当該移動局ＵＥと無線基地局ｅＮＢとの間で、ＲＲＣコネクションが設定されるように構成されているため、無線リソースの浪費を回避しつつ、コネクション設定時間を短縮することができる。
【００６５】
また、本発明の第１の実施形態に係る移動通信システムによれば、無線回線制御局ＲＮＣが、ＵＭＴＳセルにおいて待ち受けを行っている移動局ＵＥから受信した「ＲＲＣ  Ｃｏｎｎｅｃｔｉｏｎ  Ｒｅｑｕｅｓｔ」に含まれている「Ｉｎｔｅｒ-ＲＡＴ  ｃａｐａｂｉｌｉｔｉｅｓ」に基づいて、当該移動局ＵＥの無線アクセス能力を把握することができるため、当該移動局ＵＥがＬＴＥ方式に対応していない場合に、ＬＴＥ方式に対する「Ｒｅｄｉｒｅｃｔｉｏｎ」を行うように当該移動局ＵＥに対して指示するという事態を回避することができる。
【００６６】
また、本発明の第１の実施形態に係る移動通信システムによれば、無線回線制御局ＲＮＣが、ＵＭＴＳセルにおいて待ち受けを行っている移動局ＵＥから受信した「ＲＲＣ  Ｃｏｎｎｅｃｔｉｏｎ  Ｒｅｑｕｅｓｔ（ＰＳサービス用）」に「Ｉｎｔｅｒ-ＲＡＴ  ｃａｐａｂｉｌｉｔｉｅｓ」が含まれている場合には、無線基地局ｅＮＢと当該移動局ＵＥとの間で、ＰＳサービス用のＲＲＣコネクションを設定することによって、当該移動局ＵＥに対して、より高速なＰＳサービスを提供することができる。
【００６７】
また、本発明の第１の実施形態に係る移動通信システムによれば、無線回線制御局ＲＮＣが、ＵＭＴＳセルにおいて待ち受けを行っている移動局ＵＥから、ＬＴＥ方式において許容されていない通信サービスや通信処理に係る「ＲＲＣ  Ｃｏｎｎｅｃｔｉｏｎ  Ｒｅｑｕｅｓｔ」を受信した場合には、ＬＴＥ方式に対する「Ｒｅｄｉｒｅｃｔｉｏｎ」を行うように当該移動局ＵＥに対して指示するという事態を回避することができる。
【００６８】
また、本発明の第１の実施形態に係る移動通信システムによれば、ＵＭＴＳ方式のセルに地理的に対応するＬＴＥ方式のセルが存在しない場合に、ＬＴＥ方式に対する「Ｒｅｄｉｒｅｃｔｉｏｎ」を行うように、当該ＵＭＴＳセルにおいて待ち受けを行っている移動局ＵＥに対して指示するという事態を回避することができる。
【００６９】
また、本発明の第１の実施形態に係る移動通信システムによれば、ＵＭＴＳ方式のセルに地理的に対応するＬＴＥ方式のセルにおける無線品質が劣悪な状況において、ＬＴＥ方式に対する「Ｒｅｄｉｒｅｃｔｉｏｎ」を行うように、当該ＵＭＴＳセルにおいて待ち受けを行っている移動局ＵＥに対して指示するという事態を回避することができる。
【００７０】
以上に述べた本実施形態の特徴は、以下のように表現されていてもよい。
【００７１】
本実施形態の第１の特徴は、移動通信方法であって、移動局ＵＥが、ＵＭＴＳ方式（第１通信方式）のセルにおいて待ち受けを行っている際に、所定トリガを検出した場合、無線回線制御局ＲＮＣ（ＵＭＴＳ方式のネットワーク装置）に対して、「Ｉｎｔｅｒ-ＲＡＴ  ｃａｐａｂｉｌｉｔｉｅｓ（移動局ＵＥの無線アクセス能力）」を含む「ＲＲＣ  Ｃｏｎｎｅｃｔｉｏｎ  Ｒｅｑｕｅｓｔ（コネクション設定要求信号）」を送信する工程Ａ（ステップＳ１００２、Ｓ１００３）と、無線回線制御局ＲＮＣが、受信した「ＲＲＣ  Ｃｏｎｎｅｃｔｉｏｎ  Ｒｅｑｕｅｓｔ」に「Ｉｎｔｅｒ-ＲＡＴ  ｃａｐａｂｉｌｉｔｉｅｓ」が含まれている場合、移動局ＵＥに対して、ＬＴＥ方式（第２通信方式）のセルにおいてＲＲＣコネクションを設定するように指示する「ＲＲＣ  Ｃｏｎｎｅｃｔｉｏｎ  Ｒｅｊｅｃｔ（指示信号）」を送信する工程Ｂ（ステップＳ１００４、Ｓ１００５）と、移動局ＵＥが、受信した「ＲＲＣ  Ｃｏｎｎｅｃｔｉｏｎ  Ｒｅｊｅｃｔ」に応じて、ＬＴＥ方式のセルにおいてＲＲＣコネクションを設定する工程Ｃ（ステップＳ１００６乃至Ｓ１００９）とを有することを要旨とする。
【００７２】
本実施形態の第１の特徴において、工程Ａ（ステップＳ１００２）において、移動局ＵＥは、ＬＴＥ方式のセルにおいて許容されている通信サービス及び通信処理の少なくとも１つに応じて、「Ｉｎｔｅｒ-ＲＡＴ  ｃａｐａｂｉｌｉｔｉｅｓ」を含む「ＲＲＣ  Ｃｏｎｎｅｃｔｉｏｎ  Ｒｅｑｕｅｓｔ」を送信するか否かについて判定してもよい。
【００７３】
本実施形態の第１の特徴において、工程Ａ（ステップＳ１００２）において、移動局ＵＥは、待ち受けを行っているＵＭＴＳ方式のセルに地理的に対応するＬＴＥ方式のセルが存在する場合に、「Ｉｎｔｅｒ-ＲＡＴ  ｃａｐａｂｉｌｉｔｉｅｓ」を含む「ＲＲＣ  Ｃｏｎｎｅｃｔｉｏｎ  Ｒｅｑｕｅｓｔ」を送信してもよい。
【００７４】
本実施形態の第１の特徴において、工程Ａ（ステップＳ１００２）において、移動局ＵＥは、待ち受けを行っているＵＭＴＳ方式のセルに地理的に対応するＬＴＥ方式のセルにおける無線品質が所定条件を満たす場合に、「Ｉｎｔｅｒ-ＲＡＴ  ｃａｐａｂｉｌｉｔｉｅｓ」を含む「ＲＲＣ  Ｃｏｎｎｅｃｔｉｏｎ  Ｒｅｑｕｅｓｔ」を送信してもよい。
【００７５】
本実施形態の第１の特徴において、工程Ｂ（ステップＳ１００４）において、無線回線制御局ＲＮＣは、ＬＴＥ方式のセルにおいて許容されている通信サービス及び通信処理の少なくとも１つに応じて、上述の「ＲＲＣ  Ｃｏｎｎｅｃｔｉｏｎ  Ｒｅｊｅｃｔ」を送信するか否かについて判定してもよい。
【００７６】
本実施形態の第１の特徴において、工程Ｂ（ステップＳ１００４）において、無線回線制御局ＲＮＣは、移動局ＵＥが待ち受けを行っているＵＭＴＳ方式のセルに地理的に対応するＬＴＥ方式のセルが存在する場合に、上述の「ＲＲＣ  Ｃｏｎｎｅｃｔｉｏｎ  Ｒｅｊｅｃｔ」を送信してもよい。
【００７７】
本実施形態の第１の特徴において、工程Ｂ（ステップＳ１００４）において、無線回線制御局ＲＮＣは、移動局ＵＥが待ち受けを行っているＵＭＴＳ方式のセルに地理的に対応するＬＴＥ方式のセルにおける無線品質が所定条件を満たす場合に、上述の「ＲＲＣ  Ｃｏｎｎｅｃｔｉｏｎ  Ｒｅｊｅｃｔ」を送信してもよい。
【００７８】
本実施形態の第１の特徴において、ＵＭＴＳ方式のセル内で、移動局ＵＥに対して、ＬＴＥ方式のセルにおいて許容されている通信サービス及び通信処理について通知する工程を有してもよい。
【００７９】
本実施形態の第１の特徴において、ＵＭＴＳ方式のセル内で、移動局ＵＥに対して、ＵＭＴＳ方式のセルとＬＴＥ方式のセルとの地理的な対応関係について通知する工程を有してもよい。
【００８０】
本実施形態の第１の特徴において、ＵＭＴＳ方式のセル内で、移動局ＵＥに対して、ＬＴＥ方式のセルにおける無線品質について通知する工程を有してもよい。
【００８１】
本実施形態の第２の特徴は、ＵＭＴＳ方式のセル及びＬＴＥ方式のセルにおいて通信可能な移動局ＵＥであって、ＵＭＴＳ方式のセルにおいて待ち受けを行っている際に、所定トリガを検出した場合、無線回線制御局ＲＮＣに対して、「Ｉｎｔｅｒ-ＲＡＴ  ｃａｐａｂｉｌｉｔｉｅｓ」を含む「ＲＲＣ  Ｃｏｎｎｅｃｔｉｏｎ  Ｒｅｑｕｅｓｔ」を送信するように構成されており、無線回線制御局ＲＮＣから送信された「ＲＲＣ  Ｃｏｎｎｅｃｔｉｏｎ  Ｒｅｊｅｃｔ」に応じて、ＬＴＥ方式のセルにおいてＲＲＣコネクションを設定するように構成されているＲＲＣコネクション設定部１３を具備し、「ＲＲＣ  Ｃｏｎｎｅｃｔｉｏｎ  Ｒｅｊｅｃｔ」は、無線回線制御局ＲＮＣが、受信した「ＲＲＣ  Ｃｏｎｎｅｃｔｉｏｎ  Ｒｅｑｕｅｓｔ」に「Ｉｎｔｅｒ-ＲＡＴ  ｃａｐａｂｉｌｉｔｉｅｓ」が含まれている場合、移動局ＵＥに対して送信する信号であり、ＬＴＥ方式のセルにおいてＲＲＣコネクションを設定するように指示する信号であることを要旨とする。
【００８２】
本実施形態の第２の特徴において、ＲＲＣコネクション設定部１３は、ＬＴＥ方式のセルにおいて許容されている通信サービス及び通信処理の少なくとも１つに応じて、「Ｉｎｔｅｒ-ＲＡＴ  ｃａｐａｂｉｌｉｔｉｅｓ」を含む「ＲＲＣ  Ｃｏｎｎｅｃｔｉｏｎ  Ｒｅｑｕｅｓｔ」を送信するか否かについて判定するように構成されていてもよい。
【００８３】
本実施形態の第２の特徴において、ＲＲＣコネクション設定部１３は、移動局ＵＥが待ち受けを行っているＵＭＴＳ方式のセルに地理的に対応するＬＴＥ方式のセルが存在する場合に、「Ｉｎｔｅｒ-ＲＡＴ  ｃａｐａｂｉｌｉｔｉｅｓ」を含む「ＲＲＣ  Ｃｏｎｎｅｃｔｉｏｎ  Ｒｅｑｕｅｓｔ」を送信するように構成されていてもよい。
【００８４】
本実施形態の第２の特徴において、ＲＲＣコネクション設定部１３は、移動局ＵＥが待ち受けを行っているＵＭＴＳ方式のセルに地理的に対応するＬＴＥ方式のセルにおける無線品質が所定条件を満たす場合に、「Ｉｎｔｅｒ-ＲＡＴ  ｃａｐａｂｉｌｉｔｉｅｓ」を含む「ＲＲＣ  Ｃｏｎｎｅｃｔｉｏｎ  Ｒｅｑｕｅｓｔ」を送信するように構成されていてもよい。
【００８５】
本実施形態の第３の特徴は、無線回線制御局ＲＮＣであって、ＵＭＴＳ方式のセルにおいて待ち受けを行っている移動局ＵＥから受信した「ＲＲＣ  Ｃｏｎｎｅｃｔｉｏｎ  Ｒｅｑｕｅｓｔ」に「Ｉｎｔｅｒ-ＲＡＴ  ｃａｐａｂｉｌｉｔｉｅｓ」が含まれている場合、移動局ＵＥに対して、ＬＴＥ方式のセルにおいてＲＲＣコネクションを設定するように指示する「ＲＲＣ  Ｃｏｎｎｅｃｔｉｏｎ  Ｒｅｊｅｃｔ」を送信するように構成されているＲＲＣコネクション設定部２１を具備することを要旨とする。
【００８６】
本実施形態の第３の特徴において、ＲＲＣコネクション設定部２１は、ＬＴＥ方式のセルにおいて許容されている通信サービス及び通信処理の少なくとも１つに応じて、上述の「ＲＲＣ  Ｃｏｎｎｅｃｔｉｏｎ  Ｒｅｊｅｃｔ」を送信するか否かについて判定するように構成されていてもよい。
【００８７】
本実施形態の第３の特徴において、ＲＲＣコネクション設定部２１は、移動局ＵＥが待ち受けを行っているＵＭＴＳ方式のセルに地理的に対応するＬＴＥ方式のセルが存在しない場合には、受信した「ＲＲＣ  Ｃｏｎｎｅｃｔｉｏｎ  Ｒｅｑｕｅｓｔ」に「Ｉｎｔｅｒ-ＲＡＴ  ｃａｐａｂｉｌｉｔｉｅｓ」が含まれている場合であっても、上述の「ＲＲＣ  Ｃｏｎｎｅｃｔｉｏｎ  Ｒｅｊｅｃｔ」を送信しないように構成されていてもよい。
【００８８】
本実施形態の第３の特徴において、ＲＲＣコネクション設定部２１は、移動局ＵＥが待ち受けを行っているＵＭＴＳ方式のセルに地理的に対応するＬＴＥ方式のセルにおける無線品質が所定条件を満たしていない場合には、受信した「ＲＲＣ  Ｃｏｎｎｅｃｔｉｏｎ  Ｒｅｑｕｅｓｔ」に「Ｉｎｔｅｒ-ＲＡＴ  ｃａｐａｂｉｌｉｔｉｅｓ」が含まれている場合であっても、上述の「ＲＲＣ  Ｃｏｎｎｅｃｔｉｏｎ  Ｒｅｊｅｃｔ」を送信しないように構成されていてもよい。
【００８９】
なお、上述の移動局ＵＥや無線基地局ｅＮＢや無線回線制御局ＲＮＣの動作は、ハードウェアによって実施されてもよいし、プロセッサによって実行されるソフトウェアモジュールによって実施されてもよいし、両者の組み合わせによって実施されてもよい。
【００９０】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢや無線回線制御局ＲＮＣ内に設けられていてもよい。また、かかる記憶媒体及びプロセッサは、ディスクリートコンポーネントとして移動局ＵＥや無線基地局ｅＮＢや無線回線制御局ＲＮＣ内に設けられていてもよい。
【００９２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００９３】
【図１】本発明の第１の実施形態に係る移動通信システムの全体構成図である。
【図２】本発明の第１の実施形態に係る移動局の機能ブロック図である。
【図３】本発明の第１の実施形態に係る移動局によって管理されている判断情報の一例を示す図である。
【図４】本発明の第１の実施形態に係る移動局によって管理されている判断情報の一例を示す図である。
【図５】本発明の第１の実施形態に係る移動局によって管理されている判断情報の一例を示す図である。
【図６】本発明の第１の実施形態に係る無線回線制御局の機能ブロック図である。
【図７】本発明の第１の実施形態に係る移動通信システムの動作を示すシーケンス図である。
【図８】本発明の第１の実施形態に係る移動局の動作を示すフローチャートである。
【符号の説明】
【００９４】
ＵＥ…移動局
ＲＮＣ…無線回線制御局
ｅＮＢ…無線基地局
１１…待ち受け処理部
１２、２２…判断情報記憶部
１３、２１…ＲＲＣコネクション設定部
２３…判定部
【図１】
2010136009.tif 000003
【図２】
2010136009.tif 000004
【図３】
2010136009.tif 000005
【図４】
2010136009.tif 000006
【図５】
2010136009.tif 000007
【図６】
2010136009.tif 000008
【図７】
2010136009.tif 000009
【図８】
2010136009.tif 000010